【手続補正書】
【提出日】平成17年9月21日(2005.9.21)
【手続補正１】
【補正対象書類名】明細書
【補正対象項目名】特許請求の範囲
【補正方法】変更
【補正の内容】
【特許請求の範囲】
【請求項１】  圧電体に一次側電極及び二次側電極が形成され、一次側電極から入力された交流電圧を変換して、二次側電極から出力する圧電トランスの駆動回路であって、
前記圧電トランスの二次側に接続された複数の負荷と、
前記複数の負荷に直列に接続され、それぞれの負荷の出力状態を検出する負荷状態検出部と、
前記負荷状態検出部からの検出信号における前記圧電トランスの駆動周波数近傍の周波数成分のみを選択出力する周波数選択部とを備え、
前記周波数選択部からの信号に基づいて圧電トランスを駆動制御することを特徴とする圧電トランスの駆動回路。
【請求項２】  前記圧電トランスの二次側電極は、矩形状の前記圧電体の長手方向における両端面に設けられ、前記二次側電極の近傍における前記圧電体の分極方向は長手方向で同一方向であることを特徴とする請求項１記載の圧電トランスの駆動回路。
【請求項３】  前記冷陰極管の個数が２ｎ（ｎは１以上の整数）であることを特徴とする請求項１記載の圧電トランスの駆動回路。
【請求項４】  圧電体に一次側電極及び二次側電極が形成され、一次側電極から入力された交流電圧を変換して二次側電極から出力する圧電トランスと、
前記圧電トランスの二次側に接続された複数の冷陰極管と、
前記複数の冷陰極管に直列に接続され、それぞれの冷陰極管に流れる電流を電気的に分離して検出する冷陰極管出力検出部と、
前記冷陰極管出力検出部からの検出信号に基づいて、前記複数の冷陰極管の発光制御を行う制御部とを少なくとも備え、
前記圧電トランスおよび前記制御部は、前記複数の冷陰極管それぞれの一方の電極に近接して配置された第１の基板に実装され、
前記冷陰極管出力検出部は、前記複数の冷陰極管それぞれの他方の電極に近接して配置された第２の基板に実装されることを特徴とする冷陰極管発光装置。
【請求項５】  内蔵の冷陰極管発光装置により輝度制御される液晶パネルであって、
前記冷陰極管発光装置は、
圧電体に一次側電極及び二次側電極が形成され、一次側電極から入力された交流電圧を変換して二次側電極から出力する圧電トランスと、
前記圧電トランスの二次側に接続された複数の冷陰極管と、
前記複数の冷陰極管に直列に接続され、それぞれの冷陰極管に流れる電流を電気的に分離して検出する冷陰極管出力検出部と、
前記冷陰極管出力検出部からの検出信号に基づいて、前記複数の冷陰極管の発光制御を行う制御部とを少なくとも備え、
前記圧電トランスおよび前記制御部は、前記複数の冷陰極管それぞれの一方の電極に近接して配置された第１の基板に実装され、
前記冷陰極管出力検出部は、前記複数の冷陰極管それぞれの他方の電極に近接して配置された第２の基板に実装されることを特徴とする液晶パネル。
【請求項６】  内蔵の冷陰極管発光装置により輝度制御される液晶パネルが組み込まれた機器であって、
前記冷陰極管発光装置は、
圧電体に一次側電極及び二次側電極が形成され、一次側電極から入力された交流電圧を変換して二次側電極から出力する圧電トランスと、
前記圧電トランスの二次側に接続された複数の冷陰極管と、
前記複数の冷陰極管に直列に接続され、それぞれの冷陰極管に流れる電流を電気的に分離して検出する冷陰極管出力検出部と、
前記冷陰極管出力検出部からの検出信号に基づいて、前記複数の冷陰極管の発光制御を行う制御部とを少なくとも備え、
前記圧電トランスおよび前記制御部は、前記複数の冷陰極管それぞれの一方の電極に近接して配置された第１の基板に実装され、
前記冷陰極管出力検出部は、前記複数の冷陰極管それぞれの他方の電極に近接して配置された第２の基板に実装されること
を特徴とする液晶パネル組込み機器。
【手続補正２】
【補正対象書類名】明細書
【補正対象項目名】００１８
【補正方法】変更
【補正の内容】
【００１８】
【課題を解決するための手段】
【手続補正３】
【補正対象書類名】明細書
【補正対象項目名】００１９
【補正方法】削除
【補正の内容】
【手続補正４】
【補正対象書類名】明細書
【補正対象項目名】００２０
【補正方法】削除
【補正の内容】
【手続補正５】
【補正対象書類名】明細書
【補正対象項目名】００２１
【補正方法】削除
【補正の内容】
【手続補正６】
【補正対象書類名】明細書
【補正対象項目名】００２２
【補正方法】変更
【補正の内容】
【００２２】
前記の目的を達成するため、本発明に係る第１の圧電トランスの駆動回路は、圧電体に一次側電極及び二次側電極が形成され、一次側電極から入力された交流電圧を変換して、二次側電極から出力する圧電トランスの駆動回路であって、圧電トランスの二次側に接続された複数の負荷と、複数の負荷に直列に接続され、それぞれの負荷の出力状態を検出する負荷状態検出部と、負荷状態検出部からの検出信号における圧電トランスの駆動周波数近傍の周波数成分のみを選択出力する周波数選択部とを備え、周波数選択部からの信号に基づいて圧電トランスを駆動制御することを特徴とする。
【手続補正７】
【補正対象書類名】明細書
【補正対象項目名】００２３
【補正方法】変更
【補正の内容】
【００２３】
この構成によれば、圧電トランスの負荷を冷陰極管とした場合、複数の冷陰極管のインピーダンスがそれぞれ異なっていても、定常点灯時における各冷陰極管の輝度差が小さく、また、点灯開始時における冷陰極管の未点灯も起こり難い。更に、不要な高調波成分を除去することができ、圧電トランスの駆動制御及び冷陰極管の輝度制御をより高精度に行うことができる。
【手続補正８】
【補正対象書類名】明細書
【補正対象項目名】００２４
【補正方法】変更
【補正の内容】
【００２４】
前記の目的を達成するため、本発明に係る冷陰極管発光装置は、圧電体に一次側電極及び二次側電極が形成され、一次側電極から入力された交流電圧を変換して二次側電極から出力する圧電トランスと、圧電トランスの二次側に接続された複数の冷陰極管と、複数の冷陰極管に直列に接続され、それぞれの冷陰極管に流れる電流を電気的に分離して検出する冷陰極管出力検出部と、冷陰極管出力検出部からの検出信号に基づいて、複数の冷陰極管の発光制御を行う制御部とを少なくとも備え、前記圧電トランスおよび前記制御部は、前記複数の冷陰極管それぞれの一方の電極に近接して配置された第１の基板に実装され、
前記冷陰極管出力検出部は、前記複数の冷陰極管それぞれの他方の電極に近接して配置された第２の基板に実装されることを特徴とする。
【手続補正９】
【補正対象書類名】明細書
【補正対象項目名】００２５
【補正方法】変更
【補正の内容】
【００２５】
前記の目的を達成するため、本発明に係る液晶パネルは、内蔵の冷陰極管発光装置により輝度制御される液晶パネルであって、冷陰極管発光装置は、圧電体に一次側電極及び二次側電極が形成され、一次側電極から入力された交流電圧を変換して二次側電極から出力する圧電トランスと、圧電トランスの二次側に接続された複数の冷陰極管と、複数の冷陰極管に直列に接続され、それぞれの冷陰極管に流れる電流を電気的に分離して検出する冷陰極管出力検出部と、冷陰極管出力検出部からの検出信号に基づいて、複数の冷陰極管の発光制御を行う制御部とを少なくとも備え、前記圧電トランスおよび前記制御部は、前記複数の冷陰極管それぞれの一方の電極に近接して配置された第１の基板に実装され、前記冷陰極管出力検出部は、前記複数の冷陰極管それぞれの他方の電極に近接して配置された第２の基板に実装されることを特徴とする。
【手続補正１０】
【補正対象書類名】明細書
【補正対象項目名】００２６
【補正方法】変更
【補正の内容】
【００２６】
この構成によれば、冷陰極管の点灯開始時や点灯時の負荷変動に応じて、圧電トランスの出力電圧が変化するため、液晶パネルに搭載された別の回路系への悪影響を解消することができる。また、冷陰極管への出力電圧がほぼ正弦波状であるため、冷陰極管の点灯に寄与しない不要な周波数成分も低減することができる。また、液晶パネルの縁部等の狭い場所にでも搭載することができ、液晶パネル自体の小型、軽量化にもつながる。また、冷陰極管の点灯不良が少なく、圧電トランスの安定駆動ができるので、液晶パネル自体の高信頼性、高性能化にもつながる。また、圧電トランスを中心とした比較的大きな電力を扱う部分と、冷陰極管出力検出部を中心とした微小電力を扱う部分とを、それぞれ別の基板を用いて分離することで、冷陰極管出力検出部での冷陰極管に流れる電流検出能力を高めるとともに、冷陰極管出力検出部から出力される検出信号へのノイズ、特にグランドラインの近接によるノイズの混入を抑制することができる。
【手続補正１１】
【補正対象書類名】明細書
【補正対象項目名】００２７
【補正方法】変更
【補正の内容】
【００２７】
前記の目的を達成するため、本発明に係る液晶パネル組込み機器は、内蔵の冷陰極管発光装置により輝度制御される液晶パネルが組み込まれた機器であって、冷陰極管発光装置は、圧電体に一次側電極及び二次側電極が形成され、一次側電極から入力された交流電圧を変換して二次側電極から出力する圧電トランスと、圧電トランスの二次側に接続された複数の冷陰極管と、複数の冷陰極管に直列に接続され、それぞれの冷陰極管に流れる電流を電気的に分離して検出する冷陰極管出力検出部と、冷陰極管出力検出部からの検出信号に基づいて、複数の冷陰極管の発光制御を行う制御部とを少なくとも備え、前記圧電トランスおよび前記制御部は、前記複数の冷陰極管それぞれの一方の電極に近接して配置された第１の基板に実装され、前記冷陰極管出力検出部は、前記複数の冷陰極管それぞれの他方の電極に近接して配置された第２の基板に実装されることを特徴とする。
【手続補正１２】
【補正対象書類名】明細書
【補正対象項目名】００２８
【補正方法】変更
【補正の内容】
【００２８】
この構成によれば、冷陰極管の本数が少なくても、液晶画面の高輝度化を実現することができると共に、冷陰極管の点灯に、電磁トランスではなく、圧電トランスを用いることで、電磁ノイズの発生を抑制することができるので、機器へのノイズや混変調による悪影響を解消することができる。また、圧電トランスを中心とした比較的大きな電力を扱う部分と、冷陰極管出力検出部を中心とした微小電力を扱う部分とを、それぞれ別の基板を用いて分離することで、冷陰極管出力検出部での冷陰極管に流れる電流検出能力を高めるとともに、冷陰極管出力検出部から出力される検出信号へのノイズ、特にグランドラインの近接によるノイズの混入を抑制することができる。
【手続補正１３】
【補正対象書類名】明細書
【補正対象項目名】００２９
【補正方法】変更
【補正の内容】
【００２９】
また、本発明の圧電トランスの駆動回路において、圧電トランスの二次側電極は、矩形状の圧電体の長手方向における両端面に設けられ、二次側電極の近傍における圧電体の分極方向は長手方向で同一方向であることを特徴とする。
【手続補正１４】
【補正対象書類名】明細書
【補正対象項目名】００３１
【補正方法】変更
【補正の内容】
【００３１】
また、本発明の圧電トランスの駆動回路において、圧電トランスの負荷を冷陰極管とした場合、冷陰極管の個数が２ｎ（ｎは１以上の整数）であることが好ましい。
【手続補正１５】
【補正対象書類名】明細書
【補正対象項目名】００３３
【補正方法】削除
【補正の内容】
【手続補正１６】
【補正対象書類名】明細書
【補正対象項目名】００３４
【補正方法】削除
【補正の内容】
【手続補正１７】
【補正対象書類名】明細書
【補正対象項目名】００３５
【補正方法】削除
【補正の内容】
【手続補正１８】
【補正対象書類名】明細書
【補正対象項目名】００３６
【補正方法】削除
【補正の内容】
【手続補正１９】
【補正対象書類名】明細書
【補正対象項目名】００９３
【補正方法】変更
【補正の内容】
【００９３】
図１３において、７、８は冷陰極管、３０は液晶パネル、３２はインバータ回路のうち、圧電トランス、駆動周波数制御回路、および入力電力制御回路を中心とした回路要素が実装された第１の基板であり、３３はインバータ回路のうち、冷陰極管出力検出回路のみ、または冷陰極管出力検出回路および制御信号選択回路を中心とした回路要素が実装された第２の基板である。第１の基板３２は、冷陰極管７、８の一方の電極に近接して配置され、第２の基板３３は、冷陰極管７、８の他方の電極に近接して配置されている。本実施の形態による液晶パネルは、図６に示す実施の形態５による携帯電話にも塔載可能である。